(57)【特許請求の範囲】
【請求項１】
室内熱交換器、室内ファンが組み込まれた室内ユニット内に電気集塵器を内蔵し、空気調和機の運転操作を行なうワイヤレスリモコンとこのリモコンの操作によりエアコン運転を制御する運転制御装置を備えた空気調和機において、
前記リモコンは、その操作面に、冷房・暖房などの空気調和の運転、停止を指示する空調運転操作釦と、前記電気集塵器の運転、停止を指示する空清運転操作釦とが並べて配置され、
前記運転制御装置は、前記空調運転操作釦による空気調和運転と、前記空清運転操作釦による空気清浄運転とは互いに独立してＯＮ／ＯＦＦすることが可能で、さらに空調運転と空清運転の両方がＯＮの時、空調運転操作釦を押すだけで、空調運転と空清運転の両方がＯＦＦするように設定されていることを特徴とする空気調和機。
【発明の詳細な説明】
【０００１】
【発明の属する技術分野】
本発明は、電気集塵機を内蔵し、空気清浄機能を備えた空気調和機本体の運転制御装置を改良した空気調和機に関する。
【０００２】
【従来の技術】
一般に、空気調和機本体の運転条件等を設定する運転制御装置として従来からワイヤレス式のリモートコントロール装置が用いられている。このリモートコントロール装置では使用者のキー操作に応じて各種の運転条件、例えば冷房、暖房、除湿等の各運転モード、運転オン／オフ、室内設定温度、タイマー時刻、タイマー時間などを設定し、その運転条件の設定内容を液晶表示部で表示し、かつ空気調和機本体へ向けて赤外線光によって送信する構成になっている。
【０００３】
また、空気調和機本体内に電気集塵機を内蔵し、空気清浄機能を備えた空気調和機が開発されている。この種の空気調和機用のリモートコントロール装置では例えば、図１６（Ａ）に示すように、リモートコントロール装置の本体ａ内に空気調和機の暖房、冷房あるいは除湿運転等の空気調和（空調）運転のＯＮ，ＯＦＦを操作する「運転／停止」用の操作釦ｂと、空気清浄（空清）運転のＯＮ，ＯＦＦを操作する「空清」用の操作釦ｃと、その他の各種設定用の複数の操作釦ｄとが設けられている。
【０００４】
そして、従来構成のものにあっては電気集塵機による空清運転は、空気調和機能の１つとして考えられているため、リモートコントロール装置の本体ａには空調運転が主体で各操作釦が設置されている。例えば、図１６（Ａ）に示すように、空調運転の「運転／停止」用の操作釦ｂは他の操作釦ｄから離れた場所に単独で独立に配置され、空清用の操作釦ｃはその他の各種設定用の複数の操作釦ｄと並べて配置されている。
【０００５】
また、空調運転中に空清運転を開始する場合には空清用の操作釦ｃを押し、空清運転中に空調運転を開始する場合は、図１６（Ｂ）に示すように別の「運転切換」釦ｅを押すようになっている。
【０００６】
【発明が解決しようとする課題】
しかしながら、上記従来構成のものは空清運転中に空調運転を開始する場合には「運転／停止」用の操作釦ｂや、「空清」用の操作釦ｃとは別の「運転／切換」用の操作釦ｅを押す必要があるので、その操作が繁雑で、一般の使用者には分かりにくい問題がある。
【０００７】
また、「運転／停止」用の操作釦ｂの「運転／停止」の表示は、一般的に運転の動作を表すものであるのに対して、「空清」用の操作釦ｃの「空気清浄」の表示は、運転の種類を表すものである。そして、「運転／停止」用の操作釦ｂと、「空清」用の操作釦ｃとの間には他の操作釦ｄが配置されている。そのため、一般の使用者にとっては、「運転／停止」用の操作釦ｂで空調運転のＯＮ／ＯＦＦを行ない、「空清」用の操作釦ｃで空清運転のＯＮ／ＯＦＦを行なうことが直感的に理解しにくいので、リモートコントロール装置全体の使い方が分かり難い問題がある。
【０００８】
さらに、近年、花粉症などへの対応として室内における空気清浄の重要性が浸透し、空気清浄機能のみの運転が多用される傾向がある。このため、空清運転の操作性を向上させることが要望されているのが実情である。
【０００９】
本発明は、上記事情を考慮してなされたもので、一般使用者に操作が分かりやすく、空清運転の操作性を向上させることができ、しかも簡単で便利な空気調和機を提供することを目的とする。
【００１０】
【課題を解決するための手段】
請求項１の発明は、室内熱交換器、室内ファンが組み込まれた室内ユニット内に電気集塵器を内蔵し、空気調和機の運転操作を行なうワイヤレスリモコンとこのリモコンの操作によりエアコン運転を制御する運転制御装置を備えた空気調和機において、前記リモコンは、その操作面に、冷房・暖房などの空気調和の運転、停止を指示する空調運転操作釦と、前記電気集塵器の運転、停止を指示する空清運転操作釦とが並べて配置され、前記運転制御装置は、前記空調運転操作釦による空気調和運転と、前記空清運転操作釦による空気清浄運転とは互いに独立してＯＮ／ＯＦＦすることが可能で、さらに空調運転と空清運転の両方がＯＮの時、空調運転操作釦を押すだけで、空調運転と空清運転の両方がＯＦＦするように設定されていることを特徴とする空気調和機である。
【００１１】
空気調和機の電気集塵機を内蔵させ、空調運転操作釦と空清運転操作釦が互いに独立してＯＮ／ＯＦＦすることが可能とすることで、空気清浄された空気を室内熱交換器で冷房または暖房して送風機で室内に送風する運転と、電気集塵機の運転を停止して冷房または暖房運転を行う運転と、冷房または暖房運転を停止しているときに電気集塵機と送風機を運転することで空気清浄運転を行える機能を備えるエアコンを提供できるとともに、運転停止は、冷房または暖房運転のみの場合および空調運転と空清運転の両方が運転中の室内機の運転停止は、空調運転操作釦を押すだけで行え、また電気集塵機のみの運転の場合は空清運転操作釦でおこなえるため、すべて１つの釦で停止の操作ができ、いちいち２つの釦を押してそれぞれを運転停止させることで停止させたのに一方が運転を継続したままになるといった不具合を防止でき、操作性の向上が図れる。さらに、空調運転操作釦と空清運転操作釦とが並べて配置されるため、空清と空調の運転停止の操作がわかりやすい。
【００１８】
【発明の実施の形態】
以下、本発明の第１の実施の形態を図１乃至図１２を参照して説明する。図３は本実施の形態の空気調和機のヒートポンプ式の冷凍サイクルを示すものである。図３中で、１は圧縮機、２は四方切換弁、３は室内側熱交換器、４は膨張弁、５は室外側熱交換器である。
【００１９】
ここで、圧縮機１にはインバータ装置６を接続させている。さらに、圧縮機１は四方切換弁２、膨張弁４および室外側熱交換器５とともに、図示しない室外ユニット内に組み込まれている。この室外ユニットには室外側熱交換器５の近傍位置に配置される室外ファン７が装着されている。
【００２０】
また、室内側熱交換器３は図１および図２に示す室内ユニット８内に組み込まれている。この室内ユニット８にはさらに横流ファンである室内ファン９が装着されている。そして、この室内ユニット８は、図示しない室外ユニットと接続されて、暖房・冷房・ドライといった空気調和運転の機能を発揮するようになっている。
【００２１】
さらに、本実施の形態の室内ユニット１には、空気清浄機１０が内蔵されている。この空気清浄機１０は電気集塵機１１と、この電気集塵機１１の側方に並置される脱臭フィルタ１２とから構成されている。ここで、電気集塵機１１と脱臭フィルタ１２とは、室内側熱交換器３の前面上部にそれぞれ独立に並べて配置されている。なお、電気集塵機１１は高電圧発生回路１３に接続されている。そして、本実施の形態の室内ユニット１は空気清浄機１０の駆動により、脱臭フィルタ１２によって脱臭されるとともに、電気集塵機１１の電極によって空気中の微細な浮遊塵埃が帯電され、かつ集塵される。これにより、空気清浄の機能も発揮するようになっている。
【００２２】
なお、本明細書では空調運転とは、電気集塵機１１の運転以外の空気調和機の運転（冷房、暖房、ドライなど）を意味し、エアコン運転とは空調運転または電気集塵機１１の単独運転、空調運転及び電気集塵機１１の併用運転のすべてを含んだ意味で使用する。
【００２３】
また、図３中で、参照符号１４は本実施の形態の空気調和機の制御回路である。この制御回路１４にはインバータ装置６、室外ファン７のファンモータ制御用の室外ファン制御回路１５、外気温センサ１６、室内ファン９のファンモータ制御用の室内ファン制御回路１７、室温センサ１８および高電圧発生回路１２がそれぞれ接続されている。
【００２４】
さらに、本実施の形態の空気調和機にはワイヤレス式のリモートコントローラ（操作部）１９が付属されている。ここで、室内ユニット８には赤外線受光部２０が設けられている。そして、制御回路１４にはこのリモートコントローラ１９からの指示信号が赤外線光によって送信されるようになっている。
【００２５】
また、図４（Ａ），（Ｂ）は本実施の形態のリモートコントローラ１９を示すものである。このリモートコントローラ１９の本体には上面の略下半部に上下方向にスライド可能な扉（蓋体）２１が設けられている。この扉２１は図４（Ａ）に示す閉状態と、図４（Ｂ）に示す開状態とにスライド開閉可能に設けられている。
【００２６】
さらに、リモートコントローラ１９の本体上面には略上半部に扉２１の外に露出状態で保持される第１の操作面２２、この第１の操作面２２の下方に扉２１によって開閉される第２の操作面２３がそれぞれ設けられている。
【００２７】
また、第１の操作面２２には液晶表示部２４と、２つの温度設定釦２５，２６と、運転時間選択釦２７と、冷房・暖房などの空気調和運転の運転／停止を指示する空調運転操作釦２８と、電気集塵機１１の運転／停止を指示する空清運転操作釦２９とがそれぞれ設けられている。ここで、空調運転操作釦２８と空清運転操作釦２９とは並べて配置されている。なお、これらの空調運転操作釦２８による空気調和運転と、空清運転操作釦２９による空気清浄運転とは互いに独立していて、他方の運転状態に影響されずに、ＯＮ／ＯＦＦすることが可能になっている。さらに、空調運転と空清運転の両方がＯＮの時、空調運転操作釦２８のボタンを押すだけで、空調運転と空清運転の両方がＯＦＦするように設定されている。
【００２８】
また、リモートコントローラ１９の第１の操作面２２には空調および空清の両運転操作釦２８，２９間に運転／停止に関連する表示を行う表示領域３０が配設されている。この表示領域３０には運転のＯＮ／ＯＦＦを意味する例えば、「運転／停止」の文字が黒字で印刷されている。ここで、リモートコントローラ１９の本体全体は灰色に着色されている。そして、空調運転操作釦２８はピンク色、空清運転操作釦２９は白色にそれぞれ着色されている。なお、空調運転操作釦２８のピンク色の釦表面にはそれに対応する運転機能を表示する「エアコン」の文字（表示手段）が黒字で印刷されている。さらに、空清運転操作釦２９の白色の釦表面にはそれに対応する運転機能を表示する「空清」の文字（表示手段）が黒字で印刷されている。
【００２９】
また、液晶表示部２４には第１の操作面２２および第２の操作面２３上の各操作釦の操作に対応した各種運転条件を文字、イラスト、マークなどで適宜選択的に表示するようになっている。図５は液晶表示部２４に表示される表示内容をすべて点灯させた全点灯状態を示すものである。すなわち、本実施の形態の液晶表示部２４には図５に示すように送信時に点灯する送信表示部３１と、空調運転時の運転モードを表示する空調運転モード表示部３２と、空調または空清の運転時に点灯するＯＮ表示部３３と、タイマ時刻表示部３４と、時計表示部３５と、空清の運転時に点灯する空清ＯＮ表示部３６と、風量表示部３７と、設定温度表示部３８などが設けられている。
【００３０】
また、第２の操作面２３には空調および空清の両運転操作釦２８，２９以外の各種運転状態を設定するための設定操作釦、例えば図４（Ｂ）に示すようにドライ運転用釦４０、クリーンドライ釦４２、スイング／風向切換釦４３、風量切換釦４４、運転切換釦４５、まろやか運転釦４６、タイマー入り釦４７、タイマー切釦４８、タイマー調節釦４９、予約釦５０、取消し釦５１などが設けられている。ここで、ドライ運転用釦４０は居住者に風を当てない除湿運転を設定するためのものである。
【００３１】
また、クリーンドライ釦４２は空調のドライ運転モード（ドライ運転用釦４０の操作による運転と同じモード）で、空気清浄機１０を併用する空調と空清の併用運転を設定するためのものである。そして、このクリーンドライ釦４２は空清運転と空調のドライ運転とを１回の操作で、同時ＯＮ／ＯＦＦが可能になっている。
【００３２】
さらに、スイング／風向切換釦４３は吹出ルーバーのスイング動作のオン，オフの設定と、吹出ルーバーの方向（吹出風の方向）の設定とを切換えるためのものである。また、風量切換釦４４は吹出風量を設定するためのもの、運転切換釦４５は冷房、暖房、自動、ドライ、送風等の各運転モードを設定するためのもの、まろやか運転釦４６は就寝中に適した快適運転を設定するためのもの、タイマー入り釦４７はタイマーによる運転開始時刻を設定するためのもの、タイマー切釦４８はタイマーによる運転停止時刻を設定するためのもの、タイマー調節釦４９はタイマーによる運転時間を設定するためのものである。
【００３３】
なお、リモートコントローラ１９の本体内には動作電源としての図示しない電池の収納室が形成されている。そして、この収納室内に電池が着脱可能に収納されている。
【００３４】
次に、上記構成の本実施の形態の作用について説明する。まず、空気調和機の運転停止状態ではリモートコントローラ１９の液晶表示部２４には図６に示すように前回の運転時の設定が表示されている。このとき、ＯＮ表示部３３はＯＮ表示マークが消えたオフ状態で保持されている。
【００３５】
また、本実施の形態の空気調和機ではリモートコントローラ１９の動作は図９のフローチャートにしたがって次のように制御される。すなわち、このリモートコントローラ１９の動作開始時には最初のステップＳ１で空調運転操作釦２８のＯＮ／ＯＦＦ状態が判断される。ここで、空調運転操作釦２８がＯＮ状態と判断された場合には次のステップＳ２に進み、空調運転操作釦２８がＯＦＦ状態と判断された場合には次のステップＳ３に進む。
【００３６】
また、ステップＳ２では空気調和機が空調運転停止中か否かが判断される。ここで、空調運転停止中と判断された場合には次のステップＳ４に進み、空調運転停止中と判断されない場合には次のステップＳ５に進む。
【００３７】
そして、ステップＳ４では空調運転のＯＮ指令が出力されるとともに、リモートコントローラ１９の液晶表示部２４におけるＯＮ表示部３３にＯＮ表示マークが点灯され、空調運転のＯＮ表示が行なわれる。さらに、ステップＳ５では空調運転のＯＦＦ指令が出力されるとともに、リモートコントローラ１９の液晶表示部２４におけるＯＮ表示部３３のＯＮ表示マークが消される。これにより、空調運転ＯＦＦ表示が行なわれる。
【００３８】
また、ステップＳ３では空清運転操作釦２９のＯＮ／ＯＦＦ状態が判断される。ここで、空清運転操作釦２９がＯＮ状態と判断された場合には次のステップＳ６に進み、空清運転操作釦２９がＯＦＦ状態と判断された場合には次のステップＳ７に進む。
【００３９】
また、ステップＳ６では空気調和機が空清運転中か否かが判断される。ここで、空清運転中と判断された場合には次のステップＳ８に進み、空清運転中と判断されない場合には次のステップＳ９に進む。
【００４０】
そして、ステップＳ８では空清運転のＯＦＦ指令が出力されるとともに、リモートコントローラ１９の液晶表示部２４における空清ＯＮ表示部３６のＯＮ表示マークが消される。これにより、空清運転ＯＦＦ表示が行なわれる。
【００４１】
また、ステップＳ９では空清運転のＯＮ指令が出力されるとともに、図７（Ａ）に示すようにリモートコントローラ１９の液晶表示部２４における空清ＯＮ表示部３６のＯＮ表示マークが点灯され、空清運転のＯＮ表示が行なわれる。このとき、ＯＮ表示部３３にＯＮ表示マークが点灯される。
【００４２】
また、ステップＳ７ではクリーンドライ釦４２のＯＮ／ＯＦＦ状態が判断される。ここで、クリーンドライ釦４２がＯＮ状態と判断された場合には次のステップＳ１０に進み、クリーンドライ釦４２がＯＦＦ状態と判断された場合にはスタート状態に戻される。
【００４３】
そして、ステップＳ１０では空調（ドライ）運転＋空清運転のＯＮ指令が出力されるとともに、図７（Ｂ）に示すようにリモートコントローラ１９の液晶表示部２４におけるＯＮ表示部３３にＯＮ表示マークが点灯され、空調運転のＯＮ表示が行なわれる。さらに、空調運転モード表示部３２で「ドライ」の文字が表示され、ドライ運転状態が表示されるとともに、空清ＯＮ表示部３６のＯＮ表示マークが点灯され、空清運転のＯＮ表示が行なわれる。
【００４４】
また、本実施の形態の空気調和機の動作はリモートコントローラ１９からの指示信号に基いて図１０のフローチャートにしたがって次のように制御される。すなわち、本実施の形態の空気調和機の動作開始時には最初のステップＳ１でリモートコントローラ１９からの空調運転のＯＮ指令の有無が判断される。ここで、空調運転のＯＮ指令が有りと判断された場合には次のステップＳ２に進み、空調運転のＯＮ指令が無しと判断された場合には次のステップＳ３に進む。
【００４５】
また、ステップＳ２では空調運転指令が自動運転か否かが判断される。ここで、自動運転と判断された場合には次のステップＳ４に進み、自動運転ではないと判断された場合には次のステップＳ５に進む。
【００４６】
そして、ステップＳ４では図１１または図１２に基づき運転モード及び設定温度が次の通り決定される。すなわち、図１１は本実施の形態の空気調和機の自動運転において、室温センサ１８によって検出される室温Ｔａにより運転モード、設定温度Ｔｓを決定する一例を説明するための特性図である。ここで、室温ＴａはＴａ１＜Ｔａ２＜Ｔａ３＜Ｔａ４の関係になっている。そして、運転モード及び設定温度の設定は次の通りである。
【００４７】
（１）室温ＴａがＴａ１以下の場合には設定温度Ｔｓ１の暖房運転モードが設定される。
（２）室温ＴａがＴａ２〜Ｔａ１の範囲内の場合には設定温度Ｔｓ２の暖房運転モードが設定される。
（３）室温ＴａがＴａ３〜Ｔａ２の範囲内の場合には送風運転モードが設定される。
（４）室温ＴａがＴａ４〜Ｔａ３の範囲内の場合には設定温度Ｔｓ３の冷房運転モードが設定される。室温ＴａがＴａ４以上の場合には設定温度Ｔｓ４の冷房運転モードが設定される。
【００４８】
また、図１２は本実施の形態の空気調和機の自動運転において、室温Ｔａ及び外気温Ｔｏにより運転モード、設定温度Ｔｓを決定する一例を説明するための特性図である。ここで、室温ＴａはＴａ１＜Ｔａ２＜Ｔａ３＜Ｔａ４、外気温ＴｏはＴｏ１＜Ｔｏ２＜Ｔｏ３＜Ｔｏ４の関係になっている。そして、運転モード及び設定温度の設定は次の通りである。
【００４９】
（１）室温ＴａがＴａ１以下で、かつ外気温ＴｏがＴｏ３以下の場合には設定温度Ｔｓ１の暖房運転モードが設定される。
（２）室温ＴａがＴａ２〜Ｔａ１の範囲内で、かつ外気温ＴｏがＴｏ４以下の場合には設定温度Ｔｓ２の暖房運転モードが設定される。
（３）室温ＴａがＴａ２以上で、かつ外気温ＴｏがＴｏ４以上の場合には次の（４）および（５）の冷房運転条件範囲を除いた範囲で送風運転モードが設定される。
（４）室温ＴａがＴａ４〜Ｔａ３の範囲内で、かつ外気温ＴｏがＴｏ１以上の場合には設定温度Ｔｓ３の冷房運転モードが設定される。
（５）室温ＴａがＴａ４以上で、かつ外気温ＴｏがＴｏ２以上の場合には設定温度Ｔｓ４の冷房運転モードが設定される。
【００５０】
なお、これ以外にも各種の自動モード選択が考えられる。要は、室温や、外気温、湿度などの少なくともいずれか１つのパラメータを用いて、モードを選択するものが自動運転である。
【００５１】
続いて、次のステップ６ではステップＳ４で決定された運転モード及び設定温度で本実施の形態の空気調和機の空調自動運転が行なわれる。さらに、ステップＳ５ではリモートコントローラ１９からの空調運転指令に基づく空調運転が実施される。
【００５２】
また、ステップＳ３では空調運転＋空清運転のＯＮ指令（クリーンドライ釦４２のＯＮ指令）の有無が判断される。ここで、クリーンドライ釦４２のＯＮ指令が有りと判断された場合には次のステップＳ７に進み、クリーンドライ釦４２のＯＮ指令が無しと判断された場合には次のステップＳ８に進む。
【００５３】
そして、ステップＳ７では電気集塵機１１の電極に通電され、続いて、前述した次のステップＳ２に進む。さらに、ステップＳ２では自動運転ではないと判断され、次のステップＳ５で、リモートコントローラ１９からの空調運転指令に基づく空調運転が実施される。これにより、空調のドライ運転モードで、空気清浄機１０を併用する空調と空清の併用運転が行なわれる。
【００５４】
また、ステップＳ８では空清運転ＯＮ指令の有無が判断される。ここで、空清運転ＯＮ指令が有りと判断された場合には次のステップＳ９に進み、空清運転ＯＮ指令が無しと判断された場合には次のステップＳ１０に進む。
【００５５】
そして、ステップＳ９では電気集塵機１１の電極に通電される。これにより、空気清浄機１０単独による空清運転が行なわれる。また、ステップＳ１０では空清運転ＯＦＦ指令の有無が判断される。ここで、空清運転ＯＦＦ指令が有りと判断された場合には次のステップＳ１１に進み、空清運転ＯＦＦ指令が無しと判断された場合には次のステップＳ１２に進む。
【００５６】
また、ステップＳ１１では電気集塵機１１の電極に通電停止が行なわれ、空気清浄機１０による空清運転が停止される。さらに、ステップＳ１２では全停止指令の有無が判断される。ここで、全停止指令が有りと判断された場合には次のステップＳ１３に進み、空調運転が停止されるとともに、電気集塵機１１の電極に通電停止が行なわれ、空気清浄機１０による空清運転が停止される。なお、ステップＳ１２で全停止指令が無しと判断された場合にはスタート状態に戻される。そこで、上記構成のものにあっては次の効果を奏する。すなわち、本実施の形態の空気調和機ではリモートコントローラ１９の第１の操作面２２に冷房・暖房などの空気調和運転の運転／停止を指示する空調運転操作釦２８と、電気集塵機１１の運転／停止を指示する空清運転操作釦２９とを並べて配置させ、この第１の操作面２２の空調および空清の両運転操作釦２８，２９間に運転／停止に関連する表示を行う表示領域３０を配設し、この表示領域３０に運転のＯＮ／ＯＦＦを意味する「運転／停止」の文字を黒字で印刷したものである。これにより、第１の操作面２２に並べて配置させた空調および空清の両運転操作釦２８，２９間の表示領域３０を目視させることにより、空調運転操作釦２８と、空清運転操作釦２９とがそれぞれの運転／停止に関連することを正確に理解させることができるので、一般使用者にリモートコントローラ１９の操作が直感的に分かりやすく、特に従来に比べて空清運転の操作性を向上させることができる。
【００５７】
さらに、扉２１の外に露出状態で保持される第１の操作面２２に空調および空清の両運転操作釦２８，２９を配設したので、扉２１によって開閉される第２の操作面２３に配設した各種運転状態を設定するための他の設定操作釦４０〜５１との区別を行ない易くすることができる。そのため、リモートコントローラ１９の操作性をさらに向上させることができる。
【００５８】
また、空調運転操作釦２８による空調運転と、空清運転操作釦２９による空清運転とを互いに独立させているので、空清運転中に空調運転をしたい場合は、空調運転操作釦２８を押せば良く、逆に空調運転中に空清運転をしたい場合は、空清運転操作釦２９を押せば良い。そのため、従来では特に空清運転の操作が繁雑で分かりにくいという欠点が解消できる。
【００５９】
さらに、空調運転の除湿運転は、吹出温度を下げない健康に良い空調であり、また、部屋内の空気をきれいにする空清運転も、健康に良い。そのため、その２つの運転を同時に行なう頻度は他の組み合せに比べて多くなる傾向がある。したがって、本実施の形態ではクリーンドライ釦４２の１回の操作で空調運転の除湿運転と、空清運転との同時運転のＯＮ／ＯＦＦが行なえるようにしたので、便利である。
【００６０】
また、本実施の形態ではワイヤレスリモコンのリモートコントローラ１９の液晶表示部２４の表示を目視することにより、設定された各種運転状態を簡単に確認できるようにしたので、空気調和機の操作性をさらに高めることができる。
【００６１】
さらに、リモートコントローラ１９の本体全体を灰色に着色し、空調運転操作釦２８をピンク色、空清運転操作釦２９を白色にそれぞれ着色したので、２つの操作釦２８，２９の色の違いにより、各操作釦２８，２９を簡単に識別できるようにしている。そのため、各操作釦２８，２９の押し間違いを低減し、リモートコントローラ１９の操作性を向上させることができる。
【００６２】
また、本実施の形態では空調運転操作釦２８のピンク色の釦表面にそれに対応する運転機能を表示する「エアコン」の文字を黒字で印刷するとともに、空清運転操作釦２９の白色の釦表面にそれに対応する運転機能を表示する「空清」の文字を黒字で印刷したので、製造を簡易化することができる。さらに、リモートコントローラ１９における第１の操作面２２の各操作釦２８，２９の表示内容を目視することにより、各操作釦２８，２９に対応する運転機能を簡単に確認できるので、リモートコントローラ１９の操作性を一層向上させることができる。
【００６３】
また、図１３（Ａ），（Ｂ）は第１の実施の形態のリモートコントローラ１９の変形例を示すものである。本変形例は第１の実施の形態のリモートコントローラ１９のクリーンドライ釦４２に代えて図１３（Ａ）に示すようにクリーン自動釦６１を設けたものである。このクリーン自動釦６１は空調の自動運転モードで、空気清浄機１０を併用する空調と空清の併用運転を設定するためのものである。そして、このクリーンドライ釦４２は空清運転と空調の自動運転とを１回の操作で、同時ＯＮ／ＯＦＦが可能になっている。
【００６４】
また、本変形例の使用時にはリモートコントローラ１９の動作を示す図９のフローチャートのうち、ステップＳ７とステップＳ１０とが図１３（Ｂ）に示すステップＳ７ＡとステップＳ１０Ａとに変更される。上記の変更以外は構造、制御ともに第１の実施の形態と同一であるため、説明を省略する。
【００６５】
本変形例では図９のフローチャートのステップＳ３で空清運転操作釦２９がＯＦＦ状態と判断された場合に図１３（Ｂ）のステップＳ７Ａに進む。このステップＳ７Ａではクリーン自動釦６１のＯＮ／ＯＦＦ状態が判断される。ここで、クリーン自動釦６１がＯＮ状態と判断された場合には次のステップＳ１０Ａに進み、クリーン自動釦６１がＯＦＦ状態と判断された場合にはスタート状態に戻される。
【００６６】
そして、ステップＳ１０Ａでは空調（自動）運転＋空清運転のＯＮ指令が出力されるとともに、図７（Ｃ）に示すようにリモートコントローラ１９の液晶表示部２４におけるＯＮ表示部３３にＯＮ表示マークが点灯され、空調運転のＯＮ表示が行なわれる。さらに、空調運転モード表示部３２で「自動」の文字が表示され、自動運転状態が表示されるとともに、空清ＯＮ表示部３６のＯＮ表示マークが点灯され、空清運転のＯＮ表示が行なわれる。
【００６７】
したがって、本変形例ではクリーン自動釦６１の１回の操作で空調運転の自動運転と、空清運転との同時運転のＯＮ／ＯＦＦが行なえるようにしたので、便利である。そして、このクリーン自動運転の場合には空気調和機の本体側で環境状態に応じて空調運転モードが前述した通り、図１１または図１２に基づき自動的に選択される。
【００６８】
また、図１４は本発明の第２の実施の形態を示すものである。本実施の形態は第１の実施の形態の空調運転操作釦２８（図４（Ａ），（Ｂ）参照）によって冷房・暖房などの空気調和運転の運転と、この空気調和運転及び電気集塵機１１の運転の停止を指示するようにしたものである。
【００６９】
そして、本実施の形態の空気調和機ではリモートコントローラ１９の動作は図１４のフローチャートにしたがって第１の実施の形態と略同様に制御される（図９参照）。なお、図１４のフローチャートで第１の実施の形態の図９のフローチャートと異なる部分はステップＳ２およびステップＳ５の部分である。
【００７０】
すなわち、本実施の形態のステップＳ２では空気調和機が全停止中か否かが判断される。ここで、全停止中と判断された場合には次のステップＳ４に進み、全停止中と判断されない場合には次のステップＳ５に進む。
【００７１】
そして、ステップＳ４では空調運転のＯＮ指令が出力されるとともに、リモートコントローラ１９の液晶表示部２４におけるＯＮ表示部３３にＯＮ表示マークが点灯され、空調運転のＯＮ表示が行なわれる。さらに、ステップＳ５では全運転のＯＦＦ指令が出力されるとともに、リモートコントローラ１９の液晶表示部２４におけるＯＮ表示部３３のＯＮ表示マークが消される。これにより、全運転のＯＦＦ表示が行なわれる。なお、上記の変更以外は構造、制御ともに第１の実施の形態と同一であるため、説明を省略する。
【００７２】
そこで、上記構成のものにあっては冷房・暖房などの空気調和運転の運転と、この空気調和運転及び電気集塵機１１の運転の停止を指示する空調運転操作釦２８を設けたものである。そして、リモートコントローラ１９の第１の操作面２２に本実施の形態の空調運転操作釦２８と空清運転操作釦２９とを第１の実施の形態と同様に並べて配置させ、この第１の操作面２２の空調および空清の両運転操作釦２８，２９間に運転／停止に関連する表示を行う表示領域３０を配設し、この表示領域３０に運転のＯＮ／ＯＦＦを意味する「運転／停止」の文字を黒字で印刷したものである。これにより、第１の実施の形態と同様に第１の操作面２２に並べて配置させた空調および空清の両運転操作釦２８，２９間の表示領域３０を目視させることにより、空調運転操作釦２８と、空清運転操作釦２９とがそれぞれの運転／停止に関連することを正確に理解させることができるので、一般使用者にリモートコントローラ１９の操作が直感的に分かりやすく、特に従来に比べて空清運転の操作性を向上させることができる効果がある。
【００７３】
また、図１５（Ａ）〜（Ｃ）は本発明の他の実施の形態を示すものである。図１５（Ａ）は本発明の第３の実施の形態を示すものである。本実施の形態では第１の実施の形態のリモートコントローラ１９における第１の操作面２２の表示領域３０の表示を「ＯＮ／ＯＦＦ」の文字に変更したものである。
【００７４】
そこで、上記構成のものにあっては第１の操作面２２に並べて配置させた空調および空清の両運転操作釦２８，２９間の表示領域３０を目視させることにより、空調運転操作釦２８と、空清運転操作釦２９とがそれぞれの運転／停止に関連することを正確に理解させることができるので、一般使用者にリモートコントローラ１９の操作が直感的に分かりやすく、特に従来に比べて空清運転の操作性を向上させることができる効果がある。
【００７５】
また、図１５（Ｂ）は本発明の第４の実施の形態を示すものである。本実施の形態では第１の実施の形態のリモートコントローラ１９における第１の操作面２２の表示領域３０の表示を図１５（Ｂ）に示すように変更したものである。
【００７６】
すなわち、本実施の形態では空調および空清の両運転操作釦２８，２９間の下方部位に「運転／停止」の文字を黒字で印刷し、空調および空清の各運転操作釦２８，２９と「運転／停止」の文字との間に引き出し線を加入したものである。そして、この場合も第１，第２の各実施の形態と同様の効果が得られる。
【００７７】
また、図１５（Ｃ）は本発明の第５の実施の形態を示すものである。本実施の形態では第１の実施の形態のリモートコントローラ１９における第１の操作面２２の表示領域３０の表示を図１５（Ｃ）に示すように変更したものである。
【００７８】
すなわち、本実施の形態では空調および空清の両運転操作釦２８，２９間に「運転／停止」の文字を黒字で印刷し、かつ空調運転操作釦２８の上側に「エアコン」の文字、空清運転操作釦２９の上側に「空清」の文字をそれぞれ黒字で印刷したものである。そして、この場合も第１〜第３の各実施の形態と同様の効果が得られる。
【００７９】
なお、本発明は上記実施の形態に限定されるものではなく、本発明の要旨を逸脱しない範囲で種々変形実施できることは勿論である。
【００８０】
【発明の効果】
本発明によれば、空気調和機の電気集塵機を内蔵させ、空調運転操作釦と空清運転操作釦が互いに独立してＯＮ／ＯＦＦすることが可能とすることで、空気清浄された空気を室内熱交換器で冷房または暖房して送風機で室内に送風する運転と、電気集塵機の運転を停止して冷房または暖房運転を行う運転と、冷房または暖房運転を停止しているときに電気集塵機と送風機を運転することで空気清浄運転を行える機能を備えるエアコンを提供できる。さらに、運転停止は、冷房または暖房運転のみの場合および空調運転と空清運転の両方が運転中の室内機の運転停止は、空調運転操作釦を押すだけで行え、また電気集塵機のみの運転の場合は空清運転操作釦でおこなえるため、すべて１つの釦で停止の操作ができ、いちいち２つの釦を押してそれぞれを運転停止させることで停止させたのに一方が運転を継続したままになるといった不具合を防止でき、操作性の向上が図れる。
【図面の簡単な説明】
【図１】本発明の第１の実施の形態における空気調和機の室内ユニットの外観を示す斜視図。
【図２】同実施の形態の室内ユニットの縦断面図。
【図３】同実施の形態の空気調和機の冷凍サイクルを示す概略構成図。
【図４】同実施の形態の空気調和機のリモートコントローラを示すもので、（Ａ）は蓋体を閉じた状態を示す正面図、（Ｂ）は蓋体を開いた状態を示す正面図。
【図５】同実施の形態の空気調和機におけるリモートコントローラの液晶表示部の全点灯状態を示す平面図。
【図６】同実施の形態の空気調和機における液晶表示部の運転停止状態の表示パターンを示す平面図。
【図７】同実施の形態の空気調和機の運転状態における液晶表示部の各表示パターンを示すもので、（Ａ）は空清単独運転中の表示パターンを示す平面図、（Ｂ）はクリーンドライ釦操作後の表示パターンを示す平面図、（Ｃ）はクリーン自動釦操作後の表示パターンを示す平面図。
【図８】同実施の形態の空気調和機の運転状態における液晶表示部の他の各表示パターンを示すもので、（Ａ）は暖房中の表示パターンを示す平面図、（Ｂ）は暖房と空清とが同時運転中の表示パターンを示す平面図、（Ｃ）は空気調和機の運転中にエアコン釦が押された後の全停止状態の表示パターンを示す平面図。
【図９】同実施の形態の空気調和機におけるリモートコントローラの操作制御用のフローチャート。
【図１０】同実施の形態の空気調和機本体の制御用のフローチャート。
【図１１】同実施の形態の空気調和機の自動運転において、室温Ｔａにより運転モード、設定温度Ｔｓを決定する一例を説明するための特性図。
【図１２】同実施の形態の空気調和機の自動運転において、室温Ｔａ及び外気温Ｔｏにより運転モード、設定温度Ｔｓを決定する一例を説明するための特性図。
【図１３】本発明の変形例を示すもので、（Ａ）はリモートコントローラの扉を開いた状態を示す正面図、（Ｂ）は空気調和機におけるリモートコントローラの操作制御用のフローチャートの要部を示す図。
【図１４】本発明の第２の実施の形態の空気調和機におけるリモートコントローラの操作制御用のフローチャート。
【図１５】本発明の他の実施の形態を示すもので、（Ａ）は第３の実施の形態の空気調和機におけるリモートコントローラの空調および空清の両運転操作釦間の領域の表示状態を示す要部の平面図、（Ｂ）は第４の実施の形態の空気調和機におけるリモートコントローラの空調および空清の両運転操作釦間の領域の表示状態を示す要部の平面図、（Ｃ）は第５の実施の形態の空気調和機におけるリモートコントローラの空調および空清の両運転操作釦間の領域の表示状態を示す要部の平面図。
【図１６】従来の空気調和機におけるリモートコントローラを示すもので、（Ａ）は「運転／停止」用の操作釦および「空清」用の操作釦の配設状態を示す要部の平面図、（Ｂ）は運転切換え釦の配設状態を示す要部の平面図。
【符号の説明】
１１    電気集塵機
２２    第１の操作面
２８    空調運転操作釦
２９    空清運転操作釦
３０    表示領域
【図１】
0003560787.tif 000002
【図２】
0003560787.tif 000003
【図３】
0003560787.tif 000004
【図４】
0003560787.tif 000005
【図５】
0003560787.tif 000006
【図６】
0003560787.tif 000007
【図７】
0003560787.tif 000008
【図８】
0003560787.tif 000009
【図９】
0003560787.tif 000010
【図１０】
0003560787.tif 000011
【図１１】
0003560787.tif 000012
【図１２】
0003560787.tif 000013
【図１３】
0003560787.tif 000014
【図１４】
0003560787.tif 000015
【図１５】
0003560787.tif 000016
【図１６】
0003560787.tif 000017